(57)【要約】【課題】破砕機のケーシング内への被破砕物のドカ落ちを防止した上で、被破砕物のケーシングの開口からの逃げを防止することである。【解決手段】ケーシング１の開口１ａに差し渡した桟部材７の上面に、回転刃４の回転前面側と対向する方向に向けた係止面１１ａを有する突起１１を設けることにより、回転刃４の回転前面側から発生する空気流によってケーシング１の開口１ａから逃げようとする被破砕物を突起１１の係止部１１ａで係止し、破砕機５のケーシング１内への被破砕物のドカ落ちを防止した上で、被破砕物の開口１ａからの逃げを防止できるようにした。【選択図】図３
2006130472.tif 000002
【特許請求の範囲】
【請求項１】
上方に開口を有するケーシング内に回転軸が横架され、この回転軸に複数列の回転刃が設けられた破砕機を備え、前記ケーシングの開口に被破砕物が投入されるホッパを連接した破砕装置において、前記開口に前記ケーシング内への被破砕物の落下を規制する複数の桟部材を前記回転軸と直角方向へ差し渡し、これらの桟部材の上面に、前記回転刃の回転前面側と対向する方向に向けた係止部を有する突起を設けたことを特徴とする破砕装置。
【請求項２】
前記複数列の回転刃が前記複数の桟部材の間を通過し、この通過時に前記回転刃の先端部が前記桟部材の上面よりも突出するようにした請求項１に記載の破砕装置。
【請求項３】
前記桟部材を前記ケーシングの開口の一端側に枢着し、その他端側へ回動させて開口に差し渡すようにした請求項１または２に記載の破砕装置。
【請求項４】
前記ホッパを回転式タブとし、この回転式タブを前記桟部材の突起の係止部と対向する方向へ回転させるようにした請求項１乃至３のいずれかに記載の破砕装置。
【請求項５】
前記被破砕物が刈草である請求項１乃至４のいずれかに記載の破砕装置。
【発明の詳細な説明】
【技術分野】
【０００１】
本発明は、破砕装置に関し、特に、刈草等の軽い被破砕物の破砕に好適な破砕装置に関する。
【背景技術】
【０００２】
破砕装置には、上方に開口を有するケーシング内に回転軸を横架し、この回転軸に複数列の回転刃を設けた破砕機を備え、ケーシングの開口に被破砕物が投入されるホッパを連接したものがある（例えば、特許文献１参照）。
【０００３】
この種の破砕装置では、被破砕物がホッパから破砕機のケーシング内へまとまってドカ落ちし、破砕が不十分となったり、破砕機が過負荷となったりすることがある。このようなケーシング内への被破砕物のドカ落ちを防止するために、ケーシングの開口に複数の桟部材を回転刃の回転軸と直角方向へ差し渡したものがある（例えば、特許文献２参照）。
【０００４】
なお、特許文献１および２に記載された破砕装置は、いずれもホッパとして、ホッパを水平面内で一方向へ回転させて、ホッパ内の被破砕物を破砕機のケーシングの開口に送り込む回転式タブを採用している。
【０００５】
【特許文献１】特開２００２−１９２００４号公報（第２−３頁、第１−２図）
【特許文献２】米国特許第４４４８３６１号明細書（第６−８頁、第５−６図）
【発明の開示】
【発明が解決しようとする課題】
【０００６】
特許文献１および２に記載されたように、破砕機の上方への開口にホッパを連接した破砕装置は、刈草等の軽い被破砕物を破砕すると、破砕機のケーシング内に落下しようとする被破砕物が、回転刃の回転前面側から発生する空気流によってケーシングの開口から逃げることがあり、被破砕物を安定してケーシング内へ送り込めずに、破砕効率が低下する問題がある。
【０００７】
特許文献２に記載された破砕装置のように、被破砕物のドカ落ちを防止する桟部材をケーシングの開口に差し渡したものでは、上述した空気流による被破砕物のケーシングの開口からの逃げは更に生じやすくなる。
【０００８】
そこで、本発明の課題は、破砕機のケーシング内への被破砕物のドカ落ちを防止した上で、被破砕物のケーシングの開口からの逃げを防止することである。
【課題を解決するための手段】
【０００９】
上記の課題を解決するために、本発明は、上方に開口を有するケーシング内に回転軸が横架され、この回転軸に複数列の回転刃が設けられた破砕機を備え、前記ケーシングの開口に被破砕物が投入されるホッパを連接した破砕装置において、前記開口に前記ケーシング内への被破砕物の落下を規制する複数の桟部材を前記回転軸と直角方向へ差し渡し、これらの桟部材の上面に、前記回転刃の回転前面側と対向する方向に向けた係止部を有する突起を設けた構成を採用した。
【００１０】
すなわち、ケーシングの開口にケーシング内への被破砕物の落下を規制する複数の桟部材を回転軸と直角方向へ差し渡し、これらの桟部材の上面に、回転刃の回転前面側と対向する方向に向けた係止部を有する突起を設けることにより、回転刃の回転前面側から発生する空気流によってケーシングの開口から逃げようとする被破砕物をこの突起の係止部で係止し、破砕機のケーシング内への被破砕物のドカ落ちを防止した上で、被破砕物のケーシングの開口からの逃げを防止できるようにした。
【００１１】
前記複数列の回転刃が前記複数の桟部材の間を通過し、この通過時に前記回転刃の先端部が前記桟部材の上面よりも突出するようにすることにより、桟部材の上面の突起で係止した被破砕物を回転刃の先端部で効率よく切断して、ケーシング内へ落下させることができる。
【００１２】
前記桟部材を前記ケーシングの開口の一端側に枢着し、その他端側へ回動させて開口に差し渡すことにより、桟部材をケーシングの開口から退避させて、回転刃の点検やメンテナンスを容易に行なうことができる。また、桟部材の間を通過する回転刃の先端部を桟部材の上面よりも突出させる場合は、桟部材の開口他端側への回動位置を変化させ、回転刃の先端部の通過高さに応じて、桟部材の上面の高さを調節することができる。
【００１３】
前記ホッパを回転式タブとし、この回転式タブを前記桟部材の突起の係止部と対向する方向へ回転させることにより、被破砕物を突起の係止部と対向する方向からケーシングの開口に送り込み、被破砕物を効率よく突起で係止することができる。
【００１４】
上述した各破砕装置は、前記被破砕物が刈草であるものに好適である。
【発明の効果】
【００１５】
本発明の破砕装置は、ケーシングの開口にケーシング内への被破砕物の落下を規制する複数の桟部材を回転軸と直角方向へ差し渡し、これらの桟部材の上面に、回転刃の回転前面側と対向する方向に向けた係止部を有する突起を設けることにより、回転刃の回転前面側から発生する空気流によってケーシングの開口から逃げようとする被破砕物をこの突起の係止部で係止し、破砕機のケーシング内への被破砕物のドカ落ちを防止した上で、被破砕物のケーシングの開口からの逃げを防止できるようにしたので、被破砕物を安定して破砕機のケーシング内に送り込み、破砕効率を高めることができる。
【００１６】
前記複数列の回転刃が前記複数の桟部材の間を通過し、この通過時に回転刃の先端部が桟部材の上面よりも突出するようにすることにより、桟部材の上面の突起で係止した被破砕物を回転刃の先端部で効率よく切断して、ケーシング内へ落下させることができる。
【００１７】
前記桟部材をケーシングの開口の一端側に枢着し、その他端側へ回動させて開口に差し渡すことにより、桟部材をケーシングの開口から退避させて、回転刃の点検やメンテナンスを容易に行なうことができる。また、桟部材の間を通過する回転刃の先端部を桟部材の上面よりも突出させる場合は、桟部材の開口他端側への回動位置を変化させ、回転刃の先端部の通過高さに応じて、桟部材の上面の高さを調節することができる。
【００１８】
前記ホッパを回転式タブとし、この回転式タブを桟部材の突起の係止部と対向する方向へ回転させることにより、被破砕物を突起の係止部と対向する方向からケーシングの開口に送り込み、被破砕物を効率よく突起で係止することができる。
【発明を実施するための最良の形態】
【００１９】
以下、図面に基づき、本発明の実施形態を説明する。この破砕装置は被破砕物として刈草を破砕するものであり、図１および図２に示すように、ケーシング１内に回転軸２が横架され、モータ３で回転駆動される回転軸２に複数列の回転刃４が設けられた破砕機５を備え、ケーシング１の上方への開口１ａに、刈草が投入されるホッパとしての回転式タブ６が連接されている。
【００２０】
前記ケーシング１の開口１ａには、刈草の落下を規制する複数の桟部材７が、回転軸２と直角方向へ差し渡され、各回転刃４が桟部材７の間を通過するようになっている。また、回転式タブ６は、その内壁に複数の縦向きの突条８が設けられ、図２中に矢印Ａで示した方向へ回転駆動されるようになっており、刈草をこの回転方向から開口１ａに送り込む。
【００２１】
図３に示すように、前記桟部材７は開口１ａの一端側に取り付けられた軸９に枢着され、その他端側に設けられた溝１０へ回動されて、開口１ａに差し渡されており、その上面には複数の突起１１が設けられている。また、回転刃４は、図３中に矢印Ｂで示した方向へ回転し、桟部材７の間を通過するときに、その先端部が桟部材７の上面よりも突出するようになっており、各突起１１には、桟部材７の間を通過する回転刃４の回転前面側と対向する方向に向けた係止部としての垂直な係止面１１ａが設けられている。この係止面１１ａは、図３中に矢印Ａで示した回転式タブ６の回転方向、すなわち、刈草の送り込み方向とも対向している。
【００２２】
したがって、前記回転刃４の回転前面側から発生する空気流によって開口１ａから逃げようとする軽い刈草を、この空気流と対向する方向に向けた各突起１１の係止面１１ａで係止することができる。このように刈草が各突起１１に係止されると、回転式タブ６によって後から送り込まれる刈草も次々と各突起１１に係止され、これらの係止された刈草の多くが桟部材７の間を通過してくる回転刃４で切断され、ケーシング１内に落下する。落下した刈草はケーシング１内でも回転刃４で切断されて破砕される。
【００２３】
前記ケーシング１は、底側の一部を多孔板１２で形成され、この多孔板１２の外側に排出部１ｂが設けられており、ケーシング１内で破砕された刈草はこの排出部１ｂから外部に排出される。
【００２４】
上述した実施形態では、刈草を破砕するものとしたが、被破砕物は刈草に限定されることはなく、本発明に係る破砕装置は、空気流の影響を受けやすい軽い被破砕物を破砕するのに好適である。
【００２５】
また、桟部材の上面に設ける突起の係止部は、実施形態のような垂直な係止面に限定されることはなく、回転刃が発生させる空気流でケーシングの開口から逃げる被破砕物を係止できるものであればよい。
【図面の簡単な説明】
【００２６】
【図１】破砕装置の実施形態を示す縦断面図
【図２】図１の平面図
【図３】図２のIII−III線に沿った断面図
【符号の説明】
【００２７】
１  ケーシング
１ａ  開口
１ｂ  排出部
２  回転軸
３  モータ
４  回転刃
５  破砕機
６  回転式タブ
７  桟部材
８  突条
９  軸
１０  溝
１１  突起
１１ａ  係止面
１２  多孔板
【図１】
2006130472.tif 000003
【図２】
2006130472.tif 000004
【図３】
2006130472.tif 000005